(57)【要約】 【課題】  簡単な構成で、幅広いデザインを適用可能な時計を提供することである。【解決手段】  時計３０は、駆動体３２と、指針４１，４２と、パネル体３３と、軸受け３４とを含む。駆動体３２は、予め設定される回転軸線４４まわりに時針軸４３ａおよび分針軸４３ｂを回転駆動する。指針４１，４２のうち、時針４１は、時針軸４３ａに固定されて、時針軸４３ａとともに回転可能に設けられ、分針４２は、分針軸４３ｂに固定されて、分針軸４３ｂとともに回転可能に設けられる。パネル体３３は、指針４１，４２を挟んで駆動体３２と反対側に配置されて、分針軸４３ｂに支持される。パネル体３３と分針軸４３ｂとは、軸受け３４によって、回転軸線４４まわりに相対回転可能に連結される。パネル体３３は、外周縁部における回転軸線４４からの最小半径方向寸法が、指針４１，４２における回転軸線４４からの最大半径方向寸法よりも小さく形成される。【選択図】      図５
2008157641.tif 000002
【特許請求の範囲】
【請求項１】
予め設定される回転軸線まわりに１または複数の出力軸を回転駆動する駆動体と、
１つの出力軸である回転用出力軸に固定されて、回転用出力軸とともに回転可能に設けられる回転体と、
回転体を挟んで駆動体と反対側に配置されて、１または複数のうちいずれかの出力軸である支持用出力軸に支持され、外周縁部における回転軸線からの最小半径方向寸法が、回転体における回転軸線からの最大半径方向寸法よりも小さく形成されるパネル体と、
パネル体と支持用出力軸とを回転軸線まわりに相対回転可能に連結する連結体とを備えることを特徴とする時計。
【請求項２】
パネル体の外周縁部は、回転軸線からの半径方向寸法が、回転体における回転軸線からの最大半径方向寸法よりも小さく形成される回転体突出部分を有し、
回転体突出部分は、外周縁部における回転軸線からの半径方向寸法が、回転軸線の周方向に進むにつれて変化することを特徴とする請求項１に記載の時計。
【請求項３】
パネル体は、
回転体を挟んで駆動体の反対側から、駆動体を覆うパネル体本体と、
パネル体本体に固定される姿勢調整用おもりとを含むことを特徴とする請求項１または２に記載の時計。
【請求項４】
姿勢調整用おもりは、パネル体本体に対して取外し可能に設けられることを特徴とする請求項３に記載の時計。
【請求項５】
連結体は、リング状に形成される内輪体および外輪体を含み、外輪体の内部空間に内輪体が位置する軸受けであり、
パネル体は、内輪体または外輪体に嵌合可能な嵌合部を含み、
内輪体および外輪体のうち、一方に支持用出力軸が固定され、他方にパネル体が固定されることを特徴とする請求項１〜４のいずれか１つに記載の時計。
【請求項６】
駆動体は、回転用出力軸を回転軸線まわりに、１日あたり等速度で２回転させて、回転体を時針として働かせることを特徴とする請求項１〜５のいずれか１つに記載の時計。
【請求項７】
回転用出力軸は、筒状に形成されて、回転軸線と同軸に配置され、
支持用出力軸は、回転用出力軸の内部空間に位置して、回転軸線と同軸に配置されることを特徴とする請求項１〜６のいずれか１つに記載の時計。
【発明の詳細な説明】
【技術分野】
【０００１】
本発明は、時間の経過を示す時計に関する。
【背景技術】
【０００２】
第１の従来技術の時計は、指針たとえば時針および分針と、指針が固定される出力軸を回転駆動する駆動体と、文字盤などの台紙とを含む。台紙は、指針と駆動体との間に配置される。台紙には孔が形成され、この孔に出力軸が挿通される。指針の位置および指針が指示する台紙内の文字によって、使用者に時間の経過を知らせることが可能である（たとえば、特許文献１参照）。
【０００３】
図２０は、第２の従来技術の時計１を示す平面図である。第２の従来技術の時計１では、台紙２と分針３とが一体に形成される。具体的に述べると、円板状の台紙２に半径方向外方に突出するように針状の分針３が設けられる。台紙２は、図示しない駆動体によって回転駆動される出力軸５に固定される。台紙２が回転することで、分針３が回転する。
【０００４】
図２１は、第３の従来技術の時計１０を示す図である。図２１（ａ）は平面図であり、図２１（ｂ）は図２１（ａ）に示す切断面線Ａ−Ａにおける断面図である。第３の従来技術の時計１０は、時針１１および分針１２を挟んで駆動体１３と反対側にカバー体１４を備える。カバー体１４は、円板状の非透光性部分１４ａを有し、この非透光性部分１４ａで時針１１および分針１２の出力軸１６に接続される部分を覆う。時針１１および分針１２の残余の部分は、非透光性部分１４ａを囲繞する透光性部分１４ｂを通して外方に露出する。
【０００５】
図２２は、第４の従来技術の時計２０を示す図である。図２２（ａ）は平面図であり、図２２（ｂ）は図２２（ａ）に示す切断面線Ｂ−Ｂにおける断面図である。第４の従来技術の時計２０は、針状部材で構成される指針に代えて、分針２１ａが描かれた分針盤２１と、時針２２ａが描かれた時針盤２２とを備える。分針盤２１は、透光性を有する円板状の基板に、非透光性材料で分針２１ａが描かれて形成される。時針盤２２も分針盤２１と同様に形成され、分針盤２１に重ね合わされる。
【０００６】
分針盤２１および時針盤２２は、歯車状に形成され、台座２３の内部に備わるモータ２５によって回転軸線２６まわりに回転駆動される。分針盤２１および時針盤２２の外周部分に形成される歯は枠体２４で覆われて、使用者から見えないようになっているので、使用者には分針２１ａおよび時針２２ａが回転するように見える。
【０００７】
【特許文献１】特開平７−３２３１４８号公報（第４頁，第２図）
【発明の開示】
【発明が解決しようとする課題】
【０００８】
特許文献１などに開示の第１の従来技術では、指針と駆動体との間に台紙が配置されるので、指針によって台紙の視認が阻害される。たとえば台紙に図形が描かれている場合、その図形に指針が重なって見えるので、図形が見づらくなってしまう。したがってデザインの選択の幅が狭くなる。
【０００９】
図２０に示す第２の従来技術の時計１では、時針４を挟んで駆動体と反対側に台紙２が配置され、この台紙２と分針３とが一体に形成されるので、時針４および分針３で台紙４の視認が阻害されることを避けることは可能であるが、分針３を回転させるために台紙２を回転させることが必要である。台紙２の回転をわかりにくくするために、台紙２の断面形状が真円形状に限定され、デザインの選択の幅が狭くなってしまう。
【００１０】
たとえば時刻を表す文字を台紙２に記載していても、その文字によって使用者に時間の経過を知らせることができず、使い勝手が悪い。また台紙２に図形が描かれている場合、台紙２の回転に伴って図形が回転するので、たとえば台紙２を広告媒体として使用しにくい。
【００１１】
図２１に示す第３の従来技術の時計１０は、時針１１および分針１２を挟んで駆動体１３と反対側にカバー体１４を備えるので、カバー体１４の非透光性部分１４ａを台紙として用いる場合、台紙の視認が時針１１および分針１２で阻害されることを避けることが可能であるが、カバー体１４を保持するための筐体１５が必要である。したがって時計１０の大形化が避けられず、また時計１０全体として、デザインの選択の幅が狭くなるという問題がある。
【００１２】
図２２に示す第４の従来技術の時計２０では、分針盤２１および時針盤２２を構成する基板を台紙として用い、分針２１ａおよび時針２２ａで視認が阻害されないように画像を描くことが可能であるが、分針盤２１および時針盤２２を歯車状に形成して回転させる必要があるので、構成が複雑であるという問題がある。また分針盤２１および時針盤２２自体が回転されるので、分針盤２１および時針盤２２を構成する基板を台紙として用いる場合、第２の従来技術と同様に、使い勝手が悪く、たとえば広告媒体としては使用しにくい。
【００１３】
本発明の目的は、簡単な構成で、幅広いデザインを適用可能な時計を提供することである。
【課題を解決するための手段】
【００１４】
本発明は、予め設定される回転軸線まわりに１または複数の出力軸を回転駆動する駆動体と、
１つの出力軸である回転用出力軸に固定されて、回転用出力軸とともに回転可能に設けられる回転体と、
回転体を挟んで駆動体と反対側に配置されて、１または複数のうちいずれかの出力軸である支持用出力軸に支持され、外周縁部における回転軸線からの最小半径方向寸法が、回転体における回転軸線からの最大半径方向寸法よりも小さく形成されるパネル体と、
パネル体と支持用出力軸とを回転軸線まわりに相対回転可能に連結する連結体とを備えることを特徴とする時計である。
【００１５】
本発明に従えば、時計は、駆動体と回転体とパネル体と連結体とを備える。駆動体は、予め設定される回転軸線まわりに１または複数の出力軸を回転駆動する。この出力軸のうち１つの出力軸である回転用出力軸に回転体が固定され、回転用出力軸とともに回転する。この回転体を挟んで駆動体と反対側にパネル体が配置され、出力軸のうちいずれかの出力軸である支持用出力軸に支持される。パネル体と支持用出力軸とは、回転軸線まわりに相対回転可能に連結体によって連結されるので、支持用出力軸の回転に伴ってパネル体が回転することを防止することが可能である。
【００１６】
パネル体は、外周縁部における回転軸線からの最小半径方向寸法が、回転体における回転軸線からの最大半径方向寸法よりも小さく形成されるので、パネル体の外周縁部のうち回転軸線からの最小半径方向寸法の部分では、パネル体を挟んで回転体と反対側からパネル体および回転体を見たとき、回転体が露出し、パネル体から半径方向外方に突出する。このように回転体が突出する部分では、回転体の回転に伴って回転体とパネル体との態様が変化する。たとえば回転軸線の周方向における回転体の位置が変化して、パネル体のある部分に対する回転体の相対位置が変化する。したがって、この回転体とパネル体との態様またはその変化によって、使用者に時間の経過を知らせることが可能である。
【００１７】
またパネル体は、回転体を挟んで駆動体と反対側に配置されるので、使用者がパネル体を挟んで回転体と反対側からパネル体および回転体を見たときに、回転体によってパネル体の視認が阻害されることを防ぐことができる。これによって、時計のデザインの選択の幅を広げることができるので、幅広いデザインを適用することが可能になる。
【００１８】
またパネル体は、１または複数のうちいずれかの出力軸である支持用出力軸に支持されるので、出力軸を、パネル体を支持する手段として用いることができる。したがって、パネル体を支持する手段を出力軸と別に設ける必要はないので、簡単な構成で、時計のデザインが制限されることを避けることができる。
【００１９】
また本発明は、パネル体の外周縁部は、回転軸線からの半径方向寸法が、回転体における回転軸線からの最大半径方向寸法よりも小さく形成される回転体突出部分を有し、
回転体突出部分は、外周縁部における回転軸線からの半径方向寸法が、回転軸線の周方向に進むにつれて変化することを特徴とする。
【００２０】
本発明に従えば、パネル体の外周縁部は、回転軸線からの半径方向寸法が、回転体における回転軸線からの最大半径方向寸法よりも小さく形成される回転体突出部分を有する。この回転体突出部分の外周縁部における回転軸線からの半径方向寸法は、回転軸線の周方向に進むにつれて変化するので、回転体突出部分では、回転体の突出量を回転体の回転に伴って変化させることができる。したがって、回転体の突出量またはその変化によって、使用者に時間の経過を知らせることが可能である。
【００２１】
また本発明は、パネル体は、
回転体を挟んで駆動体の反対側から、駆動体を覆うパネル体本体と、
パネル体本体に固定される姿勢調整用おもりとを含むことを特徴とする。
【００２２】
本発明に従えば、パネル体は、パネル体本体と姿勢調整用おもりとを含む。パネル体本体は、回転体を挟んで駆動体の反対側から駆動体を覆うので、パネル体を挟んで回転体と反対側からパネル体および回転体を見たときに、駆動体が見えることを防ぐことができる。またパネル体本体には姿勢調整用おもりが固定されるので、回転軸線が水平に延びる場合、姿勢調整用おもりによってパネル体の重心の位置を調整し、パネル体を意図した姿勢で固定することができる。たとえば、パネル体本体が円板から一部分が欠けた形状である場合、その欠けた部分が鉛直方向下方に位置するような姿勢でパネル体を固定することが可能である。したがって、パネル体と回転体との態様を意図したように変化させることができるので、意図したように時間の経過を使用者に知らせることができる。
【００２３】
また本発明は、姿勢調整用おもりは、パネル体本体に対して取外し可能に設けられることを特徴とする。
【００２４】
本発明に従えば、姿勢調整用おもりはパネル体本体に対して取外し可能に設けられるので、パネル体本体に対する姿勢調整用おもりの位置を変更することができる。これによってパネル体の重心の位置を変更することができるので、回転軸線が水平に延びる場合、パネル体を複数の姿勢で固定することが可能である。したがって、パネル体の各姿勢に応じた時間の経過を使用者に知らせることが可能である。
【００２５】
また本発明は、連結体は、リング状に形成される内輪体および外輪体を含み、外輪体の内部空間に内輪体が位置する軸受けであり、
パネル体は、内輪体または外輪体に嵌合可能な嵌合部を含み、
内輪体および外輪体のうち、一方に支持用出力軸が固定され、他方にパネル体が固定されることを特徴とする。
【００２６】
本発明に従えば、連結体は、リング状の内輪体および外輪体を含み、内輪体と外輪体とが相対回転可能に連結される軸受けであり、内輪体および外輪体のうち、一方に支持用出力軸が固定され、他方にパネル体が固定される。パネル体は、連結体の内輪体または外輪体に嵌合可能な嵌合部を含むので、嵌合部を内輪体または外輪体に嵌合して固定することができる。このようにパネル体を嵌合して固定することによって、パネル体と連結体とを接着剤で接着する必要がなくなるので、パネル体を連結体に容易に固定することができ、時計を容易に組立てることができる。
【００２７】
また本発明は、駆動体は、回転用出力軸を回転軸線まわりに、１日あたり等速度で２回転させて、回転体を時針として働かせることを特徴とする。
【００２８】
本発明に従えば、回転用出力軸が駆動体によって回転軸線まわりに１日あたり等速度で２回転されて、回転体が時針として働くので、回転体とパネル体との態様またはその変化によって、使用者に時刻を知らせることのできる時計が実現される。
【００２９】
また本発明は、回転用出力軸は、筒状に形成されて、回転軸線と同軸に配置され、
支持用出力軸は、回転用出力軸の内部空間に位置して、回転軸線と同軸に配置されることを特徴とする。
【００３０】
本発明に従えば、回転用出力軸は、筒状に形成されて、回転軸線と同軸に配置され、支持用出力軸は、回転用出力軸の内部空間に位置して、回転軸線と同軸に配置される。このように回転用出力軸と支持用出力軸とは別々の出力軸であり、支持用出力軸は回転用出力軸の内部空間に位置するので、時計の大形化を抑制することができる。
【発明の効果】
【００３１】
本発明によれば、駆動体によって回転駆動される１または複数の出力軸のうちいずれかの出力軸である支持用出力軸とパネル体とを連結体で回転軸線まわりに相対回転可能に連結することで、支持用出力軸の回転に伴うパネル体の回転を防止することが可能である。このパネル体を、１つの出力軸である回転用出力軸に固定される回転体を挟んで駆動体と反対側に配置し、外周縁部における回転軸線からの最小半径方向寸法が、回転体における回転軸線からの最大半径方向寸法よりも小さくなるように形成することで、回転体がパネル体から半径方向外方に突出する部分を形成することができる。この部分では、回転体の回転に伴って回転体とパネル体との態様が変化するので、この回転体とパネル体との態様または態様の変化によって、使用者に時間の経過を知らせることが可能である。
【００３２】
またパネル体を、回転体を挟んで駆動体と反対側に配置することで、回転体によってパネル体の視認が阻害されることを防いで、デザインの選択の幅を広げることができるので、幅広いデザインを適用することが可能になる。またパネル体を支持用出力軸で支持することで、出力軸を、パネル体を支持する手段として用いることができるので、簡単な構成で、デザインが制約されることを避けることができる。
【００３３】
また本発明によれば、パネル体の外周縁部のうち、回転軸線からの半径方向寸法が、回転体における回転軸線からの最大半径方向寸法よりも小さく形成される回転体突出部分の外周縁部における回転軸線からの半径方寸法を、回転軸線の周方向に進むにつれて変化させることで、回転体突出部分における回転体の突出量を回転体の回転に伴って変化させることができるので、回転体の突出量またはその変化によって、使用者に時間の経過を知らせることが可能である。
【００３４】
また本発明によれば、パネル体本体と姿勢調整用おもりとを含んでパネル体を構成し、パネル体本体で回転体を挟んで駆動体の反対側から駆動体を覆うことで、パネル体を挟んで回転体と反対側からパネル体および回転体を見たときに、駆動体が見えることを防ぐことができる。またパネル本体に姿勢調整用おもりを固定することで、回転軸線が水平に延びる場合、姿勢調整用おもりによってパネル体の重心の位置を調整して、パネル体を意図した姿勢で固定することができるので、パネル体と回転体との態様を意図したように変化させ、意図したように時間の経過を使用者に知らせることができる。
【００３５】
また本発明によれば、姿勢調整用おもりをパネル本体に対して取外し可能に設けることで、パネル本体に対する姿勢調整用おもりの位置を変更して、パネル体の重心の位置を変更することができるので、回転軸線が水平に延びる場合、パネル体を複数の姿勢で固定し、各姿勢に応じた時間の経過を使用者に知らせることが可能である。
【００３６】
また本発明によれば、連結体をリング状の内輪体および外輪体を含み、内輪体と外輪体とが相互回転可能に連結される軸受けとし、内輪体および外輪体のうち、一方に支持用出力軸を固定し、他方にパネル体の嵌合部を嵌合して固定することで、パネル体と連結体とを接着剤で接着する必要がなくなり、パネル体を連結体に容易に固定することができるので、時計を容易に組立てることができる。
【００３７】
また本発明によれば、回転用出力軸を駆動体で回転軸線まわりに１日あたり等速度で２回転させて、回転体を時針として働かせることで、回転体とパネル体との態様またはその変化によって、使用者に時刻を知らせることのできる時計が実現される。
【００３８】
また本発明によれば、回転用出力軸を筒状に形成して回転軸線と同軸に配置し、支持用出力軸を回転用出力軸の内部空間に位置するように回転軸線と同軸に配置することで、時計の大形化を抑制することができる。
【発明を実施するための最良の形態】
【００３９】
図１は、本発明の第１の実施の形態の時計３０を示す正面図である。図２は、本実施の形態の時計３０を示す背面図である。図３は、本実施の形態の時計３０を示す右側面図である。図４は、本実施の形態の時計３０を示す上面図である。図５は、本実施の形態の時計３０の一部を拡大して示す断面図である。図５は、図１に示す切断面線Ｓ５−Ｓ５における断面図に相当する。本実施の形態の時計３０は、壁または柱などの被取付体４０に取付けられて使用される掛時計である。時計３０は、指時手段３１と、ムーブメント３８と、パネル体３３と、連結体である軸受け３４とを備える。ムーブメント３８は、駆動体３２と、１または複数、本実施の形態では３つの出力軸４３と、収容ケース３５とを含む。指時手段３１は、回転体である複数の指針、本実施形態では２つの指針、すなわち時針４１および分針４２を含む。
【００４０】
駆動体３２は、収容ケース３５に収容される。収容ケース３５には、被取付体４０に取付けるための取付フック３６が取付けられ、この取付フック３６を介して時計３０が被取付体４０に取付けられる。収容ケース３５には、駆動体３２に電力を供給する電力供給源である電池３７を収容するための電池収容部３５ａが形成される。
【００４１】
ムーブメント３８は、３つの出力軸４３として、時針軸４３ａ、分針軸４３ｂおよび秒針軸４３ｃを含む。駆動体３２は、予め設定される回転軸線４４まわりに出力軸４３を回転駆動する。より詳細には、駆動体３２は、出力軸４３を回転軸線４４まわりに、回転軸線４４の周方向一方Ｅ１に回転駆動する。本実施の形態では、周方向一方Ｅ１は、時計まわり方向に設定される。出力軸４３は、収容ケース３５および取付フック３６に形成される孔を通して、収容ケース３５および取付フック３６から突出するように設けられる。
【００４２】
回転軸線４４の軸線方向のうち、一方をＺ１方向と定義し、このＺ１方向とＺ１方向の反対方向Ｚ２とを含んでＺ方向と定義し、このＺ方向に直交する一方向をＸ方向と定義し、Ｘ方向およびＺ方向に直交する方向をＹ方向と定義する。各図において、これらＸ、Ｙ、Ｚ方向を矢符Ｘ，Ｙ，Ｚで表す。図１では、図１の紙面手前側がＺ方向一方Ｚ１側であり、使用者によって視認される視認側である。時計３０は、Ｙ方向他方Ｙ２が鉛直方向に一致するように図３に示す被取付体４０に取付けられて使用される。
【００４３】
図５に示すように、時針軸４３ａ、分針軸４３ｂおよび秒針軸４３ｃはそれぞれ、回転軸線４４と同軸に配置される。時針軸４３ａおよび分針軸４３ｂはそれぞれ、筒状、より詳細には円筒状に形成される。分針軸４３ｂは、時針軸４３ａの内部空間に位置するように配置される。秒針軸４３ｃは、柱状、より詳細には円柱状に形成され、時針軸４３ａの内部空間であって、分針軸４３ｂの内部空間に位置するように配置される。
【００４４】
時針軸４３ａには、２つの指針４１，４２のうち、時針４１が固定され、分針軸４３ｂには、分針４２が固定される。時針軸４３ａおよび分針軸４３ｂは、回転用出力軸に相当する。本実施の形態では、秒針は設けられないので、秒針軸４３ｃには、指針である秒針は固定されない。
【００４５】
パネル体３３は、１または複数のうちいずれかの出力軸４３、本実施形態では１つの出力軸４３である分針軸４３ｂに支持される。分針軸４３ｂは、支持用出力軸に相当する。本実施の形態では、パネル体３３は、分針４２および軸受け３４を介して、分針軸４３ｂに支持される。
【００４６】
具体的に述べると、分針４２とパネル体３３とは、軸受け３４によって、回転軸線４４まわりに相対回転可能に連結される。分針４２は分針軸４３ｂに固定されるので、パネル体３３と分針軸４３ｂとは、分針４２を介して、軸受け３４によって、回転軸線４４まわりに相対回転可能に連結される。このようにパネル体３３と分針軸４３ｂとは、軸受け３４および分針４２を介して、回転軸線４４まわりに相対回転可能に連結されるので、分針軸４３ｂが回転するときに、その回転に伴ってパネル体３３が回転することを防止することが可能である。したがってパネル体３３は、分針４２が回転しても回転せず、一定の姿勢に保持される。
【００４７】
以上のように、回転体である指針４１，４２のうち、時針４１は、回転用出力軸である時針軸４３ａに固定されて、時針軸４３ａとともに回転軸線４４まわりに回転可能に設けられる。分針４２は、回転用出力軸および支持用出力軸である分針軸４３ａに固定されて、分針軸４３ｂとともに回転軸線４４まわりに回転可能に設けられる。各指針４１，４２は、出力軸４３の回転軸線４４の軸線方向一方であるＺ方向一方Ｚ１側の端部、すなわち出力軸４３の駆動体３２に接続される側と反対側の端部に固定される。
【００４８】
駆動体３２は、時針軸４３ａを回転軸線４４まわりに、１日あたり等速度で２回転させて、つまり１時間あたり３０°の角速度で等速回転させて、時針軸４３ａに固定される回転体である指針４１を時針として働かせる。また駆動体３２は、分針軸４３ｂを回転軸線４４まわりに、１時間あたり等速度で１回転させて、つまり１分間あたり６°の角速度で等速回転させて、分針軸４３ｂに固定される回転体である指針４２を分針として働かせる。
【００４９】
また駆動体３２は、秒針軸４３ｃを回転軸線４４まわりに、１分間あたり等速度で１回転させる。換言すると、駆動体３２は、秒針軸４３ｃを回転軸線４４まわりに、１秒間あたり６°の角速度で等速回転させる。本実施の形態では秒針軸４３ｃには回転体である指針は固定されないが、秒針軸４３ｃに指針が固定される場合、前述のように駆動体３２が秒針軸４３ｃを回転軸線４４まわりに、１分間あたり等速度で１回転させることによって、秒針軸４３ｃに固定される指針を秒針として働かせることができる。
【００５０】
各指針４１，４２は、指針本体４１ａ，４２ａと固定部材４１ｂ，４２ｂとを含む。指針本体４１ａ，４２ａは、略長方形平板状であり、その長手方向の両端部間の中間部のうち、一端部寄りの部分が残余の部分よりも短手方向の寸法が大きくなるように形成されて幅広部４１ｃ，４２ｃを構成する。この幅広部４１ｃ，４２ｃの中央部には孔が形成され、この孔に一部分が挿通されるように固定部材４１ｂ，４２ｂが取付けられる。この指針本体４１ａ，４２ａの幅広部４１ｃ，４２ｃと固定部材４１ｂ，４２ｂとによって、指針４１，４２の固定部４１ｄ，４２ｄが構成される。指針本体４１ａ，４２ａは、たとえば焼付け塗装されたアルミニウム基板によって実現される。
【００５１】
各指針４１，４２は、指針本体４１ａ，４２ａの長手方向が出力軸４３の回転軸線４４に垂直になるように、固定部４１ｄ，４２ｄが出力軸４３に固定される。さらに具体的に述べると、図５に示すように出力軸４３のうち、分針軸４３ｂは、一端部が時針軸４３ａからＺ方向一方Ｚ１側に突出するように形成され、この分針軸４３ｂの突出する端部に半径方向外方側から分針４２の固定部材４２ｂが嵌合されて、分針４２の固定部４２ｄが分針軸４３ｂに固定される。
【００５２】
時針４１の固定部４１ｄは、時針軸４３ａの一端部に半径方向外方側から時針４１の固定部材４１ｂが嵌合されて、時針軸４３ａに固定される。分針４２が固定される分針軸４３ｂの一端部は、時針軸４３ａの一端部よりもＺ方向一方Ｚ１側に突出するので、分針４２は、時針４１よりもＺ方向一方Ｚ１側に設けられる。
【００５３】
２つの指針４１，４２のうち、時針４１は短針によって実現され、分針４２は長針によって実現される。したがって図２に示すように、時針４１の長手方向における出力軸４３の回転軸線４４から、出力軸４３の回転軸線４４から最も離れた部分までの寸法、すなわち時針４１における回転軸線４４からの最大半径方向寸法Ｌ１は、分針４２の長手方向における出力軸４３の回転軸線４４から、出力軸４３の回転軸線４４から最も離れた部分までの寸法である、分針４２における回転軸線４４からの最大半径方向寸法Ｌ２よりも小さい。
【００５４】
また時針４１の短手方向における寸法は、分針４２の短手方向における寸法よりも小さい。具体的に述べると、時針本体４１ａの幅広部４１ｃを除く残余の部分の短手方向における寸法は、分針本体４２ａの幅広部４２ｃを除く残余の部分の短手方向における寸法よりも小さく、また時針本体４１ａの幅広部４１ｃの短手方向における寸法は、分針本体４２ａの幅広部４２ｃの短手方向における寸法よりも小さい。
【００５５】
この回転体である指針４１，４２を挟んで駆動体３２と反対側に、パネル体３３が配置される。パネル体３３は、指針４１，４２の少なくとも固定部４１ｄ，４２ｄおよび駆動体３２を、出力軸４３の回転軸線４４の軸線方向一方であるＺ方向一方Ｚ１側から覆うように設けられる。したがって図１に示すようにＺ方向一方Ｚ１側、すなわち図１の紙面に向かって手前側から見たとき、指針４１，３２の少なくとも固定部４１ｄ，４２ｄおよび駆動体３２は、パネル体３３で覆われて見えない。
【００５６】
パネル体３３は、パネル体本体５１と、姿勢調整用おもり５２と、嵌合部５３とを含む。本実施形態においてパネル体本体５１は、平板状であり、一様な厚みに形成される。パネル体本体５１は、厚み方向一方側の表面部が、Ｚ方向一方Ｚ１側から見えるように設けられる。パネル体本体５１は、指針４１，４２を挟んで駆動体３２の反対側から、駆動体３２を覆うように設けられる。
【００５７】
パネル体本体５１は、厚み方向に一様な形状であり、その厚み方向に垂直な仮想一平面における断面形状は、図１に示すように、十三夜月を模した形状である。パネル体本体５１の外周縁部５１ａの各部分の曲率は、前記仮想一平面における断面形状が十三夜月を模した形状になるように選ばれる。「十三夜月」とは、太陰暦における毎月１３日の月のことである。パネル体本体５１は、たとえば焼付け塗装されたアルミニウム基板によって実現される。
【００５８】
図６は、パネル体３３の寸法と指針４１，４２の寸法との関係を示す図である。パネル体３３は、外周縁部３３ａにおける回転軸線４４からの最小半径方向寸法、すなわち回転軸線４４を中心としてパネル体３３の外周縁部３３ａに接する円のうち半径が最も小さい円である最小半径円４８の半径Ｒ０が、回転体である指針４１，４２のうち、少なくともいずれか一方、本実施の形態では両方における回転軸線４４からの最大半径方向寸法Ｌ１，Ｌ２よりも小さく形成される。
【００５９】
具体的に述べると、パネル体３３は、外周縁部３３ａにおける回転軸線４４からの最小半径方向寸法Ｒ０が、時針４１における回転軸線４４からの最大半径方向寸法Ｌ１よりも小さく、かつ分針４２における回転軸線４４からの最大半径方向寸法Ｌ２よりも小さく形成される。
【００６０】
本実施の形態では、パネル体３３の外周縁部３３ａは、周方向全周にわたって、回転軸線４４からの半径方向寸法Ｒが、回転体である指針４１，４２における回転軸線４４からの最大半径方向寸法Ｌ１，Ｌ２よりも小さく形成される。したがってパネル体３３の外周縁部３３ａの全体が、回転軸線４４からの半径方向寸法Ｒが、回転体である指針４１，４２における回転軸線４４からの最大半径方向寸法Ｌ１，Ｌ２よりも小さく形成される回転体突出部分である。
【００６１】
換言すると、パネル体３３の少なくとも一部分、本実施の形態ではパネル体３３全体は、出力軸４３の回転軸線４４に垂直な方向における出力軸４３の回転軸線４４から外周縁部３３ａまでの寸法、すなわち前記方向における出力軸４３の回転軸線４４からパネル体本体５１の外周縁部５１ａまでの寸法Ｒが、前記方向における出力軸４３の回転軸線４４から、指針４１，４２の出力軸４３の回転軸線４４から最も離れた部分すなわち指針本体４１ａ，４２ａの他端部までの寸法Ｌ１，Ｌ２よりも小さく形成される。
【００６２】
したがって、パネル体３３、具体的にはパネル体本体５１は、出力軸４３の回転軸線４４に垂直なＸＹ平面において、指針４１，４２が回転されるときに、指針４１，４２の先端部である指針本体４１ａ，４２ａの他端部の端面が描く円形状の軌跡の半径方向内方側に位置する。つまり、指針４１，４２は、出力軸４３の回転軸線４４の軸線方向一方側であるＺ方向一方Ｚ１側から見て、一部分、具体的には指針本体４１ａ，４２ａの他端部である先端部がパネル体３３、具体的にはパネル体本体５１から露出して、パネル体本体５１から突出した状態で回転する。
【００６３】
回転体突出部分であるパネル体３３の外周縁部３３ａは、外周縁部３３ａにおける回転軸線４４からの半径方向寸法Ｒが、回転軸線４４の周方向Ｅに進むにつれて変化する。本実施の形態では、パネル体３３の外周縁部３３ａにおける回転軸線４４からの半径方向寸法Ｒは、外周縁部３３ａにおける回転軸線４４からの最小半径方向寸法Ｒ０の位置（以下「最小半径位置」ということがある）Ｐ０から、回転軸線４４の周方向Ｅのうち時計まわり方向である周方向一方Ｅ１に進むにつれて滑らかに増加し、その後減少に転じて、最小半径位置Ｐ０まで周方向一方Ｅ１に進むにつれて滑らかに減少する。時計まわり方向である周方向一方Ｅ１と、この周方向一方Ｅ１と反対の反時計まわり方向である周方向他方Ｅ２とを含んで、回転軸線４４の周方向Ｅと定義する。
【００６４】
図６に示すように指針４１，４２の長手方向が鉛直方向に平行なＹ方向に一致し、かつ指針４１，４２のパネル体３３から露出する端部である指針本体４１ａ，４２ａの他端部がＹ方向一方Ｙ１側にある位置を基準位置Ｐ１とし、基準位置Ｐ１から周方向一方Ｅ１への回転角度をプラス（＋）、基準位置Ｐ１から周方向他方Ｅ２への回転角度をマイナス（−）とするとき、最小半径位置Ｐ０は、基準位置Ｐ１からマイナス（−）４５°回転した位置である。
【００６５】
図２〜図４に戻って、姿勢調整用おもり５２は、パネル体本体５１の厚み方向他方側の表面部であるＺ方向他方Ｚ２側の表面部に固定される。姿勢調整用おもり５２は、出力軸４３の回転軸線４４を含み、Ｙ方向およびＺ方向に平行な仮想一平面を基準としてパネル体本体５１のＸ方向他方Ｘ２側の部分のうち、出力軸４３の回転軸線４４を含み、Ｘ方向およびＺ方向に平行な仮想一平面を基準としてＹ方向他方Ｙ２側の部分に設けられる。姿勢調整用おもり５２は、たとえば接着剤によってパネル体本体５１に接着されて、固定される。
【００６６】
姿勢調整用おもり５２は、本実施の形態では平板状、より詳細には円板状である。姿勢調整用おもり５２は、たとえば鋼板によって形成される。
【００６７】
嵌合部５３は、図５に示すように、パネル体本体５１の厚み方向他方側の表面部であるＺ方向他方Ｚ２側の表面部に設けられる。本実施形態では、嵌合部５３は、パネル体本体５１のＺ方向他方Ｚ２側の表面部のうち、Ｘ方向における寸法が最大の部分よりもＹ方向一方Ｙ１側であって、Ｙ方向における寸法が最大の部分よりもＸ方向他方Ｘ２側の部分に設けられる。
【００６８】
嵌合部５３は、連結体である軸受け３４の後述する内輪体６１に嵌合可能に形成される。嵌合部５３は、本実施の形態ではパネル体本体５１と別体の部材によって実現され、パネル体本体５１のＺ方向他方Ｚ２側の表面部に固定される。嵌合部５３を構成する部材は、たとえば接着剤によってパネル体本体５１に接着されて、固定される。嵌合部５３は、パネル体本体５１に固定される平板状の基部５３ａと、基部５３ａからパネル体本体５１と反対側に突出する突出部５３ｂとを含む。
【００６９】
嵌合部５３は、連結体である軸受け３４に固定される。嵌合部５３が軸受け３４に固定されることによって、パネル体３３が軸受け３４に固定される。嵌合部５３は、より詳細には、突出部５３ｂが軸受け３４の内輪体６１に嵌合されて、軸受け３４に固定される。本実施の形態においてパネル体３３は、嵌合部５３が取外し可能に内輪体６１に嵌合されることによって、軸受け３４に取外し可能に固定される。
【００７０】
パネル体３３の重量は、外輪体６３の回転に伴う内輪体６４の回転を阻止するように選ばれる。パネル体３３は姿勢調整用おもり５２を含むので、パネル体３３の重量は、姿勢調整用おもり５２の重量によって調整することができる。姿勢調整用おもり５２の重量は、パネル体３３が分針軸４３ｂの回転に伴って回転しないように、パネル体本体５１の重量を考慮して選ばれる。したがって姿勢調整用おもり５２は、パネル体３３の回転を阻止する回転阻止手段として働く。姿勢調整用おもり５２の重量は、たとえば直径Ｄ０および厚み寸法を調整することによって調整することができる。
【００７１】
軸受け３４は、前述のように、パネル体３３と支持用出力軸である分針軸４３ｂとを回転軸線４４まわりに相対回転可能に連結する。軸受け３４は、本実施形態では転がり軸受けであり、軌道を形成する内輪体６１および外輪体６３と、内輪体６１と外輪体６３との間に介在される複数の転動体６２と、複数の転動体６２を互いに接触しないように保持する保持器６４とを含む。内輪体６１および外輪体６３は、リング状に形成され、外輪体６３の内部空間に内輪体６１が位置する。外輪体６３は、転動体６２を介して内輪体６１に嵌合される。転動体６２は、たとえば玉またはころによって実現される。
【００７２】
外輪体６３は、軸線方向一方側の端部に半径方向外方側に突出するフランジ部６３ａを有する。フランジ部６３ａは、分針４２、より詳細には分針４２の分針本体４２ａの幅広部４２ｃに固定される。外輪体６３のフランジ部６３ａが分針４２に固定されることによって、軸受け３４が分針４２に固定される。分針４２は、支持用出力軸である分針軸４３ｂに固定されるので、分針軸４３ｂは、分針４２を介して、軸受け３４の外輪体６３に固定される。
【００７３】
内輪体６３にはパネル体３３が固定される。パネル体３３は、嵌合部５３、より詳細には嵌合部５３の突出部５３ｂが、内輪体６３の半径方向内方側に挿入されて内輪体６３に嵌合されることによって、内輪体６３に固定される。嵌合部５３は、取外し可能に内輪体６３に固定される。軸受け３４は、たとえばステンレス鋼によって形成される。
【００７４】
図４に示すように、外輪体６３のフランジ部６３ａが固定される部分である分針４２の幅広部４２ｃにおける回転軸線４４からの最小半径方向寸法、すなわち円板状に形成される幅広部４２ｃの直径Ｄ２は、軸受け３４の分針４２に固定される部分である外輪体６３のフランジ部６３ａにおける回転軸線４４からの最大半径方向寸法、すなわちリング状に形成されるフランジ部６３ａの直径Ｗ１と同じか、フランジ部６３ａの直径Ｗ１よりも大きい値に選ばれる。本実施形態では、分針４２の幅広部４２ｃの直径Ｄ２は、時針４１の幅広部４１ｃにおける回転軸線４４からの最小半径方向寸法である幅広部４１ｃの直径Ｄ１よりも小さい値に選ばれる。
【００７５】
本実施の形態の時計３０によれば、図５に示すように、駆動体３２によって出力軸４３が回転軸線４４まわりに回転駆動される。これによって、出力軸４３のうち、回転用出力軸である時針軸４３ａに固定される時針４１が、時針軸４３ａとともに回転し、もう一つの回転用出力軸である分針軸４３ｂに固定される分針４２が、分針軸４３ｂとともに回転する。
【００７６】
この時針４１および分針４２を挟んで駆動体３２と反対側には、パネル体３３が配置される。パネル体３３は、出力軸４３のうち、支持用出力軸としても働く分針軸４３ｂに支持されるが、パネル体３３と分針軸４３ｂとは、軸受け３４および分針４２を介して、回転軸線４４まわりに相対回転可能に連結されるので、分針軸４３ｂが回転するときに、その回転に伴ってパネル体３３が回転することを防止することが可能である。
【００７７】
具体的に述べると、軸受け３４の外輪体６３は分針４２に固定され、分針４２は分針軸４３ｂに固定されるので、外輪体６３は、分針軸４３ｂの回転に伴って回転する。外輪体６３と内輪体６２とは、相対回転可能に連結されるので、外輪体６３の回転に伴って内輪体６２が回転することを防止することが可能である。パネル体３３は、内輪体６２に固定されるので、外輪体６３の回転に伴ってパネル体３３が回転することを防止することが可能である。したがって、前述のように、分針軸４３ｂの回転に伴ってパネル体３３が回転することを防止することが可能である。
【００７８】
本実施の形態では、パネル体３３の重量が、外輪体６３の回転に伴う内輪体６４の回転を阻止するように選ばれるので、分針軸４３ｂの回転に伴ってパネル体３３が回転することを防ぐことができる。したがって、本実施の形態では、パネル体３３が静止した状態で、回転体である時針４１および分針４２が回転軸線４４まわりに回転軸線４４の周方向一方Ｅ１に回転する。
【００７９】
またパネル体３３は、図６に示すように、外周縁部３３ａにおける回転軸線４４からの最小半径方向寸法Ｒ０が、時針４１における回転軸線４４からの最大半径方向寸法Ｌ１よりも小さく、また分針４２における回転軸線４４からの最大半径方向寸法Ｌ２よりも小さく形成される。これによって、パネル体３３の外周縁部３３ａのうち、少なくとも回転軸線４４からの最小半径方向寸法Ｒ０の部分では、パネル体３３を挟んで時針４１および分針４２と反対側、すなわちＺ方向一方Ｚ１側からパネル体３３、ならびに時針４１および分針４２を見たとき、時針４１および分針４２が露出し、パネル体３３から半径方向外方に突出する。
【００８０】
より詳細には、パネル体３３の外周縁部３３ａのうち、回転軸線４４からの半径方向寸法Ｒが、時針４１における回転軸線４４からの最大半径方向寸法Ｌ１よりも小さく形成される回転体突出部分では、時針４１が露出し、パネル体３３から半径方向外方に突出する。またパネル体３３の外周縁部３３ａのうち、回転軸線４４からの半径方向寸法Ｒが、分針４２における回転軸線４４からの最大半径方向寸法Ｌ２よりも小さく形成される回転体突出部分では、分針４２が露出し、パネル体３３から半径方向外方に突出する。
【００８１】
本実施の形態では、パネル体３３の外周縁部３３ａの全体が、時針４１に対する回転体突出部分であって、分針４２に対する回転体突出部分である。つまり、パネル体３３の外周縁部３３ａは、回転軸線４４の周方向Ｅの全周にわたって、回転軸線４４からの半径方向寸法Ｒが、時針４１における回転軸線４４からの最大半径方向寸法Ｌ１よりも小さく、また分針４２における回転軸線４４からの最大半径方向寸法Ｌ２よりも小さく形成される。したがって本実施の形態では、パネル体３３の外周縁部３３ａの周方向Ｅ全周にわたって、時針４１および分針４２が露出し、パネル体３３から半径方向外方に突出する。
【００８２】
このように指針４１，４２がパネル体３３から突出する部分では、指針４１，４２の回転に伴って指針４１，４２とパネル体３３との態様が変化するので、指針４１，４２とパネル体３３との態様またはその変化によって、使用者に時間の経過を知らせることが可能である。本実施形態では、パネル体３３の外周縁部３３ａの周方向Ｅ全周にわたって指針４１，４２が突出するので、パネル体３３の外周縁部３３ａの全体において、指針４１，４２とパネル体３３との態様を変化させ、この態様またはその変化によって、使用者に時間の経過を知らせることが可能である。
【００８３】
たとえば、指針である時針４１が最小半径位置Ｐ０から周方向一方Ｅ１に回転して、回転軸線４４の周方向Ｅにおける時針４１の位置が最小半径位置Ｐ０と異なる位置に変化すると、パネル体３３のある部分、たとえば最小半径位置Ｐ０の部分である最小半径部分４９に対する時針４１の相対位置が変化する。具体的に述べると、最小半径部分４９に対する時針４１の相対位置は、時針４１が最小半径位置Ｐ０から周方向一方Ｅ１に回転するのに伴って、最小半径部分４９から回転角度がプラス（＋）に増加する位置に変化する。
【００８４】
この時針４１の変化後の位置が、たとえば図６に示す基準位置Ｐ１である場合、この基準位置Ｐ１に時針４１があることによって、現在時刻が午前または午後の１２時頃であることを使用者に知らせることができる。また、たとえば使用者によって時針４１が最小半径位置Ｐ０にあることが視認された後、時針４１が基準位置Ｐ１にあることが視認された場合、時針４１の位置が最小半径位置Ｐ０から基準位置Ｐ１に変化したことによって、時刻が午前または午後の１０時半頃から１２時頃に変化したことを使用者に知らせることができる。「指針の位置」とは、指針の短手方向における両端部間の中央部の位置のことである。
【００８５】
また本実施の形態では、パネル体３３の外周縁部３３ａは、周方向Ｅ全体が回転体突出部分であり、この回転体突出部分である外周縁部３３ａの全体において、外周縁部３３ａにおける回転軸線４４からの半径方向寸法Ｒが、回転軸線４４の周方向Ｅに進むにつれて変化する。これによって、指針４１，４２のパネル体３３からの突出量（以下、単に「突出量」ということがある）を指針４１，４２の回転に伴って変化させることができる。
【００８６】
図７は、時針４１のパネル体３３からの突出量Ｑが変化する様子を示す図である。たとえば、図７において実線で示すように、指針である時針４１が、基準位置である第１位置Ｐ１にあるときの時針４１のパネル体３３からの突出量ＱをＱ１とする。図７では、時針４１の短手方向における両端部間の中央部のパネル体３３からの突出量を突出量として示す。
【００８７】
時針４１が第１位置Ｐ１から周方向一方Ｅ１に回転し、第２位置Ｐ２〜第８位置Ｐ８へと順次位置が変化するとき、時針４１の突出量Ｑは、その位置におけるパネル体３３の回転軸線４４からの半径方向寸法Ｒに応じて、Ｑ２〜Ｑ８へと順次変化する。
【００８８】
より詳細には、時針４１の突出量Ｑは、基準位置である第１位置Ｐ１から徐々に減少して、第１位置Ｐ１から＋４５°程度回転した第２位置Ｐ２、第２位置Ｐ２から＋９０°回転した第３位置および、第３位置Ｐ３から＋９０°回転した第４位置Ｐ４の間ではほぼ等しい。第４位置Ｐ４を過ぎると、時針４１の突出量Ｑは増加に転じ、第４位置Ｐ４から＋４５°回転した第５位置Ｐ５、第５位置Ｐ５から＋３０°回転した第６位置Ｐ６、第６位置Ｐ６から＋３０°回転した最小半径位置Ｐ０である第７位置Ｐ７まで増加する。
【００８９】
最小半径位置Ｐ０では、パネル体３３の回転軸線４４からの半径方向寸法Ｒが最小であるので、時針４１の突出量Ｑは最大のＱ７になる。第７位置Ｐ７を過ぎると、時針４１の突出量Ｑは減少に転じ、第７位置Ｐ７から＋３０°回転した第８位置Ｐ８を経て、基準位置である第１位置まで徐々に減少する。
【００９０】
分針４２の突出量Ｑ’は、時針４１の突出量Ｑと同様に、分針４２の回転に伴って変化し、本実施の形態では、分針４２が最小半径位置Ｐ０である第７位置Ｐ７にあるときに最大になる。
【００９１】
このように本実施の形態では、指針４１，４２の回転に伴って、指針４１，４２のパネル体３３からの突出量Ｑ，Ｑ’を変化させることができるので、視覚的特異性を利用して、つまり指針４１，４２の突出量Ｑ，Ｑ’またはその変化によって、使用者に時間の経過を知らせることが可能である。
【００９２】
たとえば、時針４１の位置が最小半径位置Ｐ０である第７位置Ｐ７から、基準位置である第１位置Ｐ１に変化するとき、時針４１の突出量Ｑが最大値Ｑ７から、最大値Ｑ７よりも小さい値Ｑ１に変化する。したがって時針４１の突出量Ｑが減少したということに基づいて、時針４１の位置が第７位置Ｐ７から第１位置Ｐ１に変化したことをより明確に使用者に知らせることが可能であるので、時針４１が第１位置Ｐ１にあるときに相当する時刻になったこと、および時針４１が第７位置Ｐ７から第１位置Ｐ１に移動するのに要する時間が経過したことをより明確に使用者に知らせることが可能である。
【００９３】
またパネル体３３は、図３に示すように指針４１，４２を挟んで駆動体３２と反対側に配置されるので、使用者がパネル体３３を挟んで指針４１，４２と反対側から、すなわち図１の紙面に向かって手前側であるＺ方向一方Ｚ１側からパネル体３３および指針４１，４２を見たとき、パネル体３３のどの部分も指針４１，４２によって覆われていない。つまり、本実施の形態では、使用者は、Ｚ方向一方Ｚ１側からパネル体３３の厚み方向一方側の表面部全体を見ることができる。
【００９４】
このように本実施の形態では、指針４１，４２によってパネル体３３の視認が阻害されることを防ぐことができる。したがって、時計３０のデザインの選択の幅を広げることができるので、幅広いデザインを適用することが可能になる。たとえば、パネル体３３の厚み方向一方側の表面部全体をデザインに用い、たとえば広告用の画像を描くことができるので、パネル体３３は、広告媒体として容易に使用することができる。
【００９５】
また本実施の形態では、前述のように出力軸４３の回転に伴うパネル体３３の回転を防ぎ、パネル体３３を静止させた状態で指針４１，４２を回転させることができるので、パネル体３３の厚み方向一方側の表面部、本実施の形態ではパネル体本体５１の厚み方向一方側の表面部に画像が描かれる場合、この画像が指針４１，４２とともに回転することを防ぐことができる。
【００９６】
たとえば、パネル体３３の厚み方向一方側の表面部に時刻を表す文字を描き、パネル体３３を文字盤として使用する場合、時刻を表す文字が回転することを防ぐことができるので、パネル体３３を文字盤として使用することができる。これによって指針４１，４２の回転角度および突出量とともに、指針４１，４２が指示する文字によって使用者に時間の経過を知らせることができるので、使用者に時間の経過をより確実に知らせることができる。「画像」とは、文字、映像および図形を含む。
【００９７】
また本実施の形態では、パネル体３３は、図５に示すように１または複数のうちいずれかの出力軸４３である分針軸４３ｂに支持される。このように本実施の形態では、出力軸４３を、パネル体３３を支持する手段として用いるので、パネル体３３を支持する手段を出力軸４３と別に設ける必要はない。したがって構成を簡単化することができるので、簡単な構成で、時計３０のデザインが制限されることを避けることができる。
【００９８】
またパネル体３３を支持するための筐体を設ける必要がないので、時計３０のデザインが筐体を備えるものに制限されることを防ぐことができる。また時計３０が大形化することを抑制することができる。
【００９９】
またパネル体３０を支持する支持用出力軸である分針軸４３ｂは、分針４２を支持して回転させる回転用出力軸の１つである。このように回転用出力軸の１つを支持用出力軸として用いるので、回転用出力軸以外に余計な構成を設ける必要がない。したがって、ムーブメント３２として市販のムーブメントを用いることができるので、幅広いデザインを適用可能な時計３０を容易に実現することができる。
【０１００】
また本実施の形態では、パネル体本体５１は、図２に示すように指針４１，４２を挟んで駆動体３２の反対側から駆動体３２を覆うので、パネル体３３を挟んで指針４１，４２と反対側、すなわち図１の紙面に向かって手前側からパネル体３３および指針４１，４２を見たときに、駆動体３２が使用者に見えてしまうことを防ぐことができる。したがって時計３０のデザインが制限されることをより確実に避けることができる。
【０１０１】
またパネル体本体５１には姿勢調整用おもり５２が固定されるので、回転軸線４４が水平に延びる場合、姿勢調整用おもり５２によってパネル体３３の重心の位置を調整し、パネル体３３を意図した姿勢で固定することができる。たとえば、本実施の形態のようにパネル体本体５１が十三夜月を模した形状である場合、図６に示すように、月の欠けた部分の中心部に相当する最小半径部分４９が、回転軸線４４を原点とし、Ｘ方向一方Ｘ１をＸ軸の正方向とし、Ｙ方向一方Ｙ１をＹ軸の正方向とするＸＹ直交座標平面における第４象限に相当する位置に配置されるような姿勢でパネル体３３を固定することができる。
【０１０２】
またパネル体本体５１における姿勢調整用おもり５２の位置を変更することによって、最小半径部分４９が鉛直方向下方Ｙ２に位置するような姿勢でパネル体３３を固定することが可能である。このような姿勢でパネル体３３が固定される場合、最小半径部分４９は基準位置Ｐ１から＋１８０°回転した位置に位置するので、この位置において、指針４１，４２の突出量Ｑ，Ｑ’が最大となる。換言すると、最小半径部分４９が鉛直方向下方Ｙ２に位置するような姿勢でパネル体３３を固定することによって、基準位置Ｐ１から＋１８０°回転した位置において、指針４１，４２の突出量Ｑ，Ｑ’を最大値にすることができる。
【０１０３】
このようにパネル体３３の姿勢を変更することによって、パネル体３３と指針４１，４２との態様、たとえば指針４１，４２の周方向Ｅにおける位置と指針４１，４２の突出量Ｑ，Ｑ’との関係を、意図したように変化させることができるので、意図したように時間の経過を使用者に知らせることができる。たとえば、基準位置Ｐ１から＋１８０°回転した位置において時針４１の突出量Ｑが最大値をとるようにすることで、基準位置Ｐ１から＋１８０°回転した位置に時針４１があるときに、現在時刻が午前または午後の６時であること、または、ある時刻から午前または午後の６時に時刻が変化したことを使用者に知らせることができる。
【０１０４】
また本実施の形態では、パネル体３３は、図５に示すように連結体である軸受け３４の内輪体６１に嵌合可能な嵌合部５３を含むので、嵌合部５３、より詳細には嵌合部５３の突起部５３ｂを内輪体６１に嵌合することによって、軸受け３４に固定することができる。したがってパネル体３３と軸受け３４とを接着剤で接着する必要がないので、パネル体３３を軸受け３４に容易に固定することができ、時計３０を容易に組立てることができる。
【０１０５】
また本実施の形態では、パネル体３３は、軸受け３４に対して取外し可能に固定されるので、複数の種類のパネル体３３を交換可能な時計３０を実現することができる。
【０１０６】
また本実施の形態では、軸受け３４の外輪体６３は、出力軸４３自体ではなく、出力軸４３の１つである分針軸４３ｂに固定される分針４２の幅広部４２に固定される。図４に示すように、外輪体６３のフランジ部６３ａが固定される部分である分針４２の幅広部４２ｃにおける回転軸線４４からの最小半径方向寸法Ｄ２は、軸受け３４の分針４２に固定される部分である外輪体６３のフランジ部６３ａにおける回転軸線４４からの最大半径方向寸法Ｗ１以上である。これによって、軸受け３４を安定して分針４２に固定することができる。
【０１０７】
また本実施の形態では、回転用出力軸のうち、支持用出力軸でない時針軸４３ａは、筒状に形成されて、回転軸線４４と同軸に配置される。また支持用出力軸である分針軸４３ｂは、時針軸４３ａの内部空間に位置して、回転軸線４４と同軸に配置される。このように本実施の形態では、回転用出力軸と支持用出力軸とは別々の出力軸であり、支持用出力軸である分針軸４３ｂは回転用出力軸である時針軸４３ａの内部空間に位置するので、支持用出力軸が回転用出力軸の外方に配置される場合と異なり、支持用出力軸が設けられる部分を回転用出力軸が設けられる部分と別に設ける必要がない。したがって時計３０の大形化を抑制することができる。
【０１０８】
また本実施の形態では、駆動体３２によって、時針軸４３ａを回転軸線４４まわりに、１日あたり等速度で２回転させるので、時針軸４３ａに固定される回転体である指針４１を、時針として働かせることができる。したがって、時針４１とパネル体３３との態様またはその変化によって、時間、たとえば現在何時であるかを使用者に知らせることができる。
【０１０９】
また本実施の形態では、駆動体３２によって、分針軸４３ｂを回転軸線まわりに、１時間あたり等速度で１回転させるので、分針軸４３ｂに固定される回転体である指針４２を、分針として働かせることができる。したがって、分針４２とパネル体３３との態様またはその変化によって、分、たとえば現在何分であるかを使用者に知らせることができる。また時針４１とパネル体３３との態様またはその変化と組合せることによって、時分、現在何時何分であるかを使用者に知らせることができる。
【０１１０】
以上の本実施の形態では、軸受け３４を支持する支持用出力軸は、分針軸４３ｂであるが、これに限定されず、他の出力軸４３、たとえば秒針軸４３ｃであってもよい。支持用出力軸として秒針軸４３ｃが用いられる場合、軸受け３４は、直接秒針軸４３ｃに固定されてもよく、秒針軸４３ｃに秒針として働く指針を回転体として固定し、この指針を介して秒針軸４３ｃに固定されてもよい。また分針４２が設けられない場合には、時針軸４３ａを支持用出力軸として用い、本実施の形態と同様に軸受け３４を時針４１に固定し、軸受け３４および時針４１を介して時針軸４３ａにパネル体３３を固定してもよい。
【０１１１】
このように支持用出力軸としては秒針軸４３ｃおよび時針軸３４ａが用いられてもよいが、支持用出力軸は、分針軸４３ｂまたは時針軸４３ａであることが好ましい。出力軸４３のうち、分針軸４３ｂおよび時針軸４３ａは、秒針軸４３ｂに比べて、外径寸法が大きいので、強度が高い。分針軸４３ｂまたは時針軸４３ａを支持用出力軸として用いることによって、秒針軸４３ｃを支持用出力軸として用いる場合に比べて、支持用出力軸の強度を高め、支持用出力軸が折れてしまうことを防ぐことができるので、支持用出力軸の耐久性を高めることができる。したがってパネル体３３を安定して支持することができるので、時計３０の耐久性を高めることができる。
【０１１２】
また本実施の形態では、指針本体４１ａ，４２ａの幅広部４１ｃ，４２ｃを除く残余の部分は、長手方向に一様な形状に形成されるが、これに限定されず、たとえば回転軸線４４から半径方向外方に遠ざかるにつれて、厚み方向に垂直な断面積が変化するように形成されてもよい。たとえば指針本体４１ａ，４２ａは、回転軸線４４から半径方向外方に遠ざかるにつれて、厚み方向に垂直な断面積が小さくなるように形成されてもよい。
【０１１３】
このように指針本体４１ａ，４２ａを回転軸線４４から半径方向外方に遠ざかるにつれて厚み方向に垂直な断面積が変化するように形成することによって、一様な形状に形成する場合に比べて、指針４１，４２の回転に伴うパネル体３３と指針４１，４２との態様の変化がより明確になるので、使用者に対して時間の経過をより明確に知らせることができる。
【０１１４】
また指針４１，４２は、パネル体３３から半径方向外方に突出する部分の最も半径方向外方側の部分である先端部、本実施の形態では指針本体４１ａ，４２ａの他端部に、発光可能な発光部を有してもよい。発光部は、たとえば、指針本体４１ａ，４２ａの基材の他端部に、蛍光塗料などの発光材料を塗布することによって形成される。
【０１１５】
指針４１，４２が先端部に発光部を有することによって、回転に伴うパネル体３３と指針４１，４２との態様の変化がより明確になるので、使用者に時間の経過をより明確に知らせることができる。
【０１１６】
また本実施の形態では、指針本体４１ａ，４２ａは、略長方形板状であるが、これに限定されず、たとえば正方形板状または円板状であってもよい。
【０１１７】
また本実施の形態では、指針本体４１ａ，４２ａは、一色で形成されるが、これに限定されず、複数の色で色分けされていてもよい。
【０１１８】
図８は、色分けされた指針７１，７２の一例を示す正面図である。図８に示す例では、指針７１，７２は、複数の色、具体的には２つの色で色分けされる。より詳細には、指針７１，７２は、パネル体３３から突出する部分である指針本体７１ａ，７２ａの他端部の端面から長手方向に間隔をあけた位置に着色部７３を有する。
【０１１９】
指針本体である時針本体７１ａは、たとえば図１に示す時針４１の時針本体４１ａと同様の構成の基体に、基体とは異なる色の塗料で塗装を施して着色部７３を形成することによって形成される。着色部７３は、時針本体７１ａの他端部の端面から間隔をあけて、時針本体７１ａの一部分に形成される。時針本体７１ａの着色部７３を除く残余の部分が非着色部７４であり、着色部７３と非着色部７４とを含んで時針本体７１ａが構成される。
【０１２０】
分針本体７２ａは、時針本体７１ａと同様に構成され、着色部７３と非着色部７４とを含む。図８に示す例では、指針本体７１ａ，７２ａはそれぞれ、複数、より詳細には２つの非着色部７４と、１つの着色部７３とを含む。図８では、時針本体７１ａの着色部７３を左下がりの斜線で示し、分針本体７２ａの着色部７３を右下がりの斜線で示す。
【０１２１】
図８に示すように、指針本体７１ａ，７２ａが色分けされる場合、指針７１，７２の回転に伴って着色部７３および非着色部７４の見え方が変化する。たとえば、時針７１が第１位置Ｐ１にあるとき、Ｚ方向一方Ｚ１側から見たとき、１つの着色部７３と１つの非着色部７４とが見える。時針７１が周方向一方Ｅ１に回転して第２位置Ｐ２に移動すると、第１位置Ｐ１に比べて、着色部７３の見える部分の寸法が小さくなる。
【０１２２】
時針７１がさらに回転して第５位置Ｐ５に移動すると、着色部７３の見える部分の寸法が再び大きくなり、第６位置Ｐ６に達すると、着色部７３の全体が見えるようになるとともに、もう一つの非着色部７４が見えるようになる。時針７１が１回転して第１位置Ｐ１に戻ると、もう一つの非着色部７４は再び見えなくなる。分針７２についても同様に、分針７１の回転に伴って、着色部７３および非着色部７４の見え方が変化する。
【０１２３】
このように指針７１，７２が色分けされる場合、指針７１，７２の回転に伴って、指針７１，７２のパネル体３３の突出量Ｑ，Ｑ’とともに、着色部７３および非着色部７４の見え方が変化する。これによって視覚的特異性が高まって、指針７１，７２の回転に伴うパネル体３３と指針７１，７２との態様の変化がより明確になるので、使用者に対して時間の経過をより明確に知らせることが可能である。したがって使用者は、時間の経過をより容易に認識することが可能である。
【０１２４】
また本実施の形態の時計は、図３に示すように被取付体４０に取付けられて使用される掛時計３０であるが、これに限定されず、置時計として使用可能に構成されてもよい。図９は、置時計として使用可能な時計の一例である時計８０を示す正面図である。図１０は、図９に示す時計８０の右側面図である。図１０は、図９に示す時計８０を、Ｘ方向一方Ｘ１側から見た側面図に相当する。図９および図１０に示す時計８０において、支持体８１を除くその他の構成は図１〜図５に示す本実施の形態の時計３０と同様であるので、同様の構成には同一の参照符号を付し、同様の説明は省略する。
【０１２５】
時計が置時計として使用可能な時計８０である場合、図９および図１０に示すように支持体８１を備える。支持体８１は、ムーブメント３８の収容ケース３５に固定され、収容ケース３５からＹ方向他方Ｙ２に延びる支持部８１ａと、支持部８１ａのＹ方向他方Ｙ２側の端部に接続され、Ｚ方向両方に延びる脚部８１ｂとを含む。鉛直方向に平行なＹ方向におけるパネル体３３と支持体８１の脚部８１ｂとの間隔Ｄ３は、複数の指針４１，４２のうち、回転軸線４４からの最大半径方向寸法が最も大きい指針の最大半径方向寸法、本実施の形態では分針４２の最大半径方向寸法Ｌ２を考慮して、指針４１，４２が支持体８１の脚部８１ａに接触しない値に選ばれる。
【０１２６】
また図１〜図５に示す本実施の形態の時計３０は、前述のようにパネル体３３が指針４１，４２を挟んで駆動体３２と反対側に配置されるので、指針４１，４２によってパネル体３３の視認が阻害されることを防ぐことができる。したがって、たとえば図１１に示す時計８５のように、パネル体８６を写真フレームとして使用することができる。
【０１２７】
図１１は、パネル体８６が写真フレームとして使用される時計の一例である時計８５を示す正面図である。図１１に示す時計８５において、パネル体８６を除くその他の構成は図１〜図５に示す本実施の形態の時計３０と同様であるので、同様の構成には同一の参照符号を付し、同様の説明は省略する。
【０１２８】
図１１に示すパネル体８６において、パネル体本体５１の厚み方向一方側の表面部には写真画像８７が形成される。写真画像８７は、たとえば印刷によってパネル体本体５１の前記表面部に形成される。図１１に示す例では、パネル体本体５１の前記表面部の全面に写真画像８７が印刷されて、形成される。
【０１２９】
図１１に示すパネル体８６は、図１に示すパネル体３３と同様に、指針４１，４２を挟んで駆動体３２と反対側に配置される。したがって、写真画像８７に指針４１，４２が重なって見えることを防ぎ、写真画像８７の視認が阻害されることを防ぐことができる。
【０１３０】
またパネル体８６には、指針４１，４２を挿通させるための孔を形成する必要がないので、写真画像８７の一部分を欠けさせることがなく、パネル体本体５１に形成される写真画像８７全体を使用者に示すことができる。
【０１３１】
パネル体８６は、上記構成に限定されず、たとえばパネル体本体５１の厚み方向一方側の表面部に、写真を収容可能な写真収容部を備えるように構成されて、写真フレームとして使用されてもよい。本実施の形態では、パネル体８６に指針４１，４２を挿通させるための孔を形成する必要がないので、写真収容部を容易に設けることができる。また写真収容部に収容される写真に指針４１，４２を挿通させるための孔を形成する必要がないので、写真を傷付けることなく、収容することができる。
【０１３２】
写真収容部は、外部から写真を挿入可能に構成される。写真収容部は、たとえば鉛直方向上方すなわちＹ方向一方Ｙ１側から写真を挿入可能に構成される。この場合、写真収容部は、略板状に形成され、厚み方向であるＺ方向他方Ｚ１に開放する凹所が形成される。写真収容部の凹所は、パネル体本体５１とともに写真の収容空間を形成するように、鉛直方向上方であるＹ方向一方Ｙ１に開放するように形成される。写真収容部は、透光性を有する透光性材料、たとえばアクリル樹脂などの透光性樹脂によって形成される。写真収容部は、たとえば接着剤によってパネル体本体５１に接着されて、パネル体本体５１に固定される。
【０１３３】
写真収容部は、水平方向すなわちＸ方向一方Ｘ１または他方Ｘ２から写真を挿入可能に構成されてもよい。また写真収容部は、パネル体本体５１の厚み方向一方側の表面部の一部分を覆うように設けられてもよく、パネル体本体５１の前記表面部全体を覆うように設けられてもよい。
【０１３４】
また図１１に示す例では、厚み方向一方側であるＺ方向一方Ｚ１側から見たときのパネル体本体５１の形状は、十三夜月を模した形状であるが、これに限定されず、楕円形状であってもよく、四角形状であってもよい。また図１に示す本実施の形態の時計３０に備わるパネル体は、写真フレームに限定されず、たとえば絵画またはジグソーパズルなどを飾るためのフレームとして用いられてもよい。
【０１３５】
図１２は、本発明の第２の実施の形態の時計９０を示す正面図である。図１３は、図１２に示す時計９０に備わるパネル体９１を厚み方向他方側から見た背面図である。本実施の形態の時計９０において、第１の実施の形態の時計３０のパネル体３３を除くその他の構成は同様であるので、同様の構成には同一の参照符号を付し、同様の説明は省略する。また本実施の形態におけるパネル体９１において、第１の実施の形態におけるパネル体本体５１および姿勢調整用おもり５２を除くその他の構成は同様であるので、同様の構成には同一の参照符号を付し、同様の説明は省略する。
【０１３６】
本実施の形態においてパネル体９１は、切欠き部分９５を有する。切欠き部分９５は、本実施の形態では、パネル体９１から円弧片が取除かれて形成される円弧除去部分である。より詳細には、切欠き部分である円弧除去部分９５は、厚み方向に垂直な仮想一平面における断面形状が、パネル体９１の外周縁部９２ａにおける回転軸線４４からの最大半径方向寸法Ｒ１を半径とする円から、その円の円弧と、その円弧の弦とによって形成される円弧片を取除いた形状になるように形成される。円弧片の弦の寸法は、パネル体本体９２の外周縁部９２ａにおける回転軸線４４からの最大半径方向寸法Ｒ１を半径とする円の直径、すなわち最大半径方向寸法Ｒ１の２倍よりも小さい値に選ばれる。
【０１３７】
パネル体９１は、パネル体本体９２の円弧片が取除かれた部分に相当する円弧除去部分９５の弦の中心部において、外周縁部９２ａにおける回転軸線４４からの回転半径方向寸法Ｒ２をとる。この回転半径方向寸法Ｒ２は、指針である時針４１における回転軸線４４からの最大半径方向寸法Ｌ１よりも小さく、かつ分針４２における回転軸線４４からの最大半径方向寸法Ｌ２よりも小さい値に選ばれる。
【０１３８】
このようにパネル体９１は、外周縁部９１ａにおける回転軸線４４からの最小半径方向寸法Ｒ２が、時針４１における回転軸線４４からの最大半径方向寸法Ｌ１よりも小さく、かつ分針４２における回転軸線４４からの最大半径方向寸法Ｌ２よりも小さく形成される。本実施の形態では、パネル体９１の外周縁部９１ａの全体が回転体突出部分であり、パネル体９１の外周縁部９１ａは、周方向全周にわたって、回転軸線４４からの半径方向寸法Ｒが、回転体である指針４１，４２における回転軸線４４からの最大半径方向寸法Ｌ１，Ｌ２よりも小さく形成される。
【０１３９】
円弧除去部分９５に時針４１が位置するときに、特定の条件になることを決めておき、この決まりを使用者に知らせておくことによって、円弧除去部分９５に時針４１が位置することによって、使用者に所定の条件になったことを知らせることができる。
【０１４０】
たとえば、円弧除去部分９５に時針４１が位置するとき、使用者の所在国とは別の国では、ある時間帯になっているというように特徴付けておけば、円弧除去部分９５に時針４１が位置することによって、使用者に別の国が前記時間帯であることを知らせることができる。
【０１４１】
また各時刻における時針４１の基準位置Ｐ１からの回転角度を、使用者の所在国における時刻に対応する角度に合わせておくことによって、時針４１の基準位置Ｐ１からの回転角度によって、使用者に所在国の時刻を知らせることができる。
【０１４２】
このように本実施の形態では、時針４１の回転角度によって、使用者の所在国における時刻を使用者に知らせるとともに、時針４１が円弧除去部分９５に位置することによって、使用者に所在国とは別の国における時間帯を知らせることができる。つまり、本実施の形態では、１つの時計９０を、表示態様を変えてたとえば２つの表示態様で使用することが可能である。
【０１４３】
また本実施の形態では、パネル体９１の姿勢調整用おもり９３は、パネル体本体９２に対して取外し可能に設けられる。これによって、パネル体本体９２に対する姿勢調整用おもり９３の位置を変更することができるので、パネル体９１の重心の位置を変更することができる。したがって、回転軸線４４がＺ方向に平行、すなわち水平に延びる場合、パネル体９１を複数の姿勢で固定することが可能であるので、パネル体９１の各姿勢に応じた時間の経過を使用者に知らせることが可能である。
【０１４４】
具体的に述べると、パネル本体９２に対する姿勢調整用おもり９３の位置を調整することによって、パネル体９１の姿勢を調整し、円弧除去部分９５の位置を調整することができるので、使用者が円弧除去部分９５の位置を任意の位置に選ぶことができる。したがって、使用者は、選んだ円弧除去部分９５の位置に応じた国における前述の時間帯を知ることができる。
【０１４５】
姿勢調整用おもり９３は、たとえば磁石体によって実現され、パネル体本体９２は磁石体が磁気力によって吸着可能な材料、たとえば鉄によって形成される。このように姿勢調整用おもり９３を磁気力によってパネル体本体９２に固定することによって、取外し可能な姿勢調整用おもり９３を容易に実現することができる。
【０１４６】
本実施の形態では、パネル体本体９２の厚み方向他方側の表面部に、複数の位置指示部９４、本実施の形態では５つの位置指示部９４が形成される。位置指示部９４は、姿勢調整用おもり９３を配置すべき位置を指示する。位置指示部９４は、たとえばパネル体本体９２の厚み方向他方側の表面部に、円形状の位置指示画像を描くことによって形成される。各位置指示画像は、たとえば、国名を表す文字９４ａを含む。
【０１４７】
この文字９４ａに基づいて、対応する位置指示部９４に姿勢調整用おもり９３を配置することによって、その文字９４ａで表される国における特定の時間帯のときに、時針４１が円弧除去部分９５に位置するようにパネル体９２の姿勢を調整することができる。
【０１４８】
このように本実施の形態では、パネル体９４の姿勢を調整することによって、１つのパネル体９４を複数の国における前記特定の時間帯を表すことが可能である。またパネル体９４の姿勢を、各国のサマータイムに対応するように変更することによって、各国のサマータイムに応じた前述の時間帯を表すことが可能である。
【０１４９】
また本実施の形態では、パネル体９４は、軸受け３４に対して取外し可能に固定される。これによってパネル体９４を交換することが可能である。したがって、たとえば、形状の異なるパネル体９４をサマータイム用および通常時用として準備しておくことによって、サマータイム用のパネル体９４を取り付けた場合には、サマータイムの時期における各国の時間帯を使用者に知らせることができ、また通常時用のパネル体９４を取り付けた場合には、通常時における各国の時間帯を使用者に知らせることができる。
【０１５０】
図１４は、本発明の第３の実施の形態の時計１００を示す正面図である。本実施の形態の時計１００において、第１の実施の形態の時計３０のパネル体本体５１および指針４１，４２を除くその他の構成は同様であるので、同様の構成には同一の参照符号を付し、同様の説明は省略する。
【０１５１】
本実施の形態では、指針である時針４１および分針４２はそれぞれ、Ｚ方向一方Ｚ１側から見て、パネル体１０１から突出する部分の先端部に、幅広部１０２ａ，１０３ａを有する。パネル体１０１の厚み方向一方側の表面部であるＺ方向一方Ｚ１側の表面部には、人形の形を模した画像が描かれている。Ｚ方向一方Ｚ１側から見たとき、指針４１，４２の先端部の幅広部１０２ａ，１０３ａは、パネル体１０１に描かれる人形の手のように見える。
【０１５２】
本実施の形態においてパネル体１０１は、第１の実施の形態におけるパネル体３３と同様に、指針４１，４２を挟んで、図示しない駆動体と反対側に配置されるので、Ｚ方向一方Ｚ１側から見たとき、指針４１，４２が、パネル体１０１に描かれた画像に重なって見えることを防ぐことができる。このように本実施の形態では、指針４１，４２によってパネル体１０１の視認が阻害されないので、作成者が意図した画像を表現することができる。つまり、Ｚ方向一方Ｚ１側から見たときに、使用者に対して、作成者が意図した画像として伝えることができる。したがって本実施の形態のように、人形を模した時計１００を実現することができる。
【０１５３】
図１５は、本発明の第４の実施の形態の時計１１０を示す正面図である。本実施の形態の時計１１０において、第１の実施の形態の時計３０のパネル体本体５１および時針４１を除くその他の構成は同様であるので、同様の構成には同一の参照符号を付し、同様の説明は省略する。
【０１５４】
本実施形態では、パネル体１１１は、外周縁部１１１ａの一部分に、時針１１２が突出する時針突出部分１１３を有する。時針突出部分１１３は、回転軸線４４からの最小半径方向寸法Ｒ３が、時針１１２における回転軸線４４からの最小半径方向寸法Ｌ３よりも小さく形成される。これによって、Ｚ方向一方Ｚ１側から見たとき、時針１１２は、時針突出部分１１３では露出するが、時針突出部分１１３を除く残余の部分では露出しない。
【０１５５】
したがって、時針突出部分１１３を、ある時間帯に特徴付けて配置することによって、時針１１２が時針突出部分１１３に位置するときに、その時間帯になっていることを使用者に知らせることができる。たとえば、時針突出部分１１３を時針１１２が午後９時から午前０時を示す位置に形成することによって、時針１１２が露出していることで、午後９時から午前０時であることを使用者に知らせることができる。
【０１５６】
本実施の形態では、時針１１２は、先端部よりも回転中心寄りの部分に装飾体１１２ａを有する。装飾体１１２ａは、本実施の形態では星型形状である。またパネル体１１１は、円板の一部分が切欠かれた形状、本実施の形態では略三日月形状に形成される。三日月の欠けた部分が、時針突出部分１１３を構成する。
【０１５７】
図１６は、本発明の第５の実施の形態の時計１２０の一部を示す断面図である。本実施の形態の時計１２０において、第１の実施の形態の時計３０のパネル体３３、軸受け３４および分針４２を除くその他の構成は同様であるので、同様の構成には同一の参照符号を付し、同様の説明は省略する。図１６は、前述の図５と同様に、図１に示す切断面線Ｓ５−Ｓ５における断面図に相当する。
【０１５８】
本実施の形態においてパネル体１２１は、第１の実施の形態と同様のパネル体本体５１および姿勢調整用おもり５２と、キャップ部材１２２とを含む。キャップ部材１２２は、嵌合部に相当する。キャップ部材１２２は、連結体である軸受け１２３に対して取外し可能に設けられる。キャップ部材１２２は、略有底円筒形状に形成され、円筒面部が軸受け１２３の外輪体１２４に嵌合可能に形成される。より詳細には、キャップ部材１２２は、外輪体１２４を半径方向外方側から覆うように形成されて、外輪体１２４に嵌合される。キャップ部材１２２は外輪体１２４に圧入されて圧着によって固定されるので、接着剤で接着されて固定される場合に比べて、より容易に取付けることができる。本実施の形態では、軸受け１２３の外輪体１２４は、円筒状に形成され、フランジ部６３ａを有しない。
【０１５９】
キャップ部材１２２は、たとえば真鍮または樹脂によって形成され、軸受け１２３は、たとえばステンレス鋼によって形成される。キャップ部材１２２は、たとえば底部をパネル体本体５１のＺ方向他方Ｚ２側の表面部に溶接することによってパネル体本体５１に固定される。パネル体１２１は、キャップ部材１２２を介して軸受け１２３に固定される。キャップ部材１２２の内方側の底部には外周縁部よりも半径方向内方側の部分の厚みが小さくなるように段差が形成され、この段差によってキャップ部材１２２と内輪体６１との間に間隙が形成される。この間隙によってキャップ部材１２２と内輪体６１との接触が防止されるので、内輪体６１の回転がキャップ部材１２２で阻害されることを防止することができる。
【０１６０】
本実施の形態では、パネル体１２１が軸受け１２３の外輪体１２４に固定されるので、第１の実施の形態のようにパネル体３３が軸受け３４の内輪体６１に固定される場合に比べて、より大きな径の部分でパネル体１２３を支えることができる。したがって、パネル体１２３が鉛直方向であるＹ方向他方に垂れることを防ぐことができる。またパネル体１２３の固定強度を高め、パネル体１２３を外れにくくすることができる。
【０１６１】
また本実施の形態において分針１２５は、第１の実施の形態と同様の指針本体４２ａと、接続部材１２６とを含む。接続部材１２６は、軸側嵌合部１２７が分針本体４２ａの幅広部４２ｃに形成される孔に挿通される。軸側嵌合部１２７は、幅広部４２ｃの孔に挿通される部分を除く残余の部分が略円筒状に形成され、分針軸４３の半径方向外方側から、分針軸４３ｂに嵌合される。これによって接続部材１２６が分針軸４３ｂに固定される。軸側嵌合部１２７の円筒状部分は、一部分が軸線方向に切欠かれて、切欠きが形成される。これによって円筒状部分が変形して、軸側嵌合部１２７に分針軸４３ｂが入りやすくなるので、接続部材１２６を分針軸４３ｂに容易に取付けることができる。
【０１６２】
接続部材１２６は、軸側嵌合部１２７に連なって円柱状に形成される緩衝部１２８と、緩衝部１２８に連なって円柱状に形成される軸受け側嵌合部１２９とを含む。軸受け側嵌合部１２９は、軸受け１２３の内輪体６１に半径方向内方側から嵌合可能に形成される。軸受け側嵌合部１２９が内輪体６１に嵌合されて、接続部材１２６が軸受け１２３に固定される。この軸受け１２３および接続部材１２６を介して、パネル体１２１と分針軸４３ｂとが固定される。接続部材１２６は内輪体６１に圧入されて圧着によって固定されるので、接着剤で接着されて固定される場合に比べて、より簡単に取り付けることができる。
【０１６３】
緩衝部１２８は、軸側嵌合部１２７および軸受け側嵌合部１２９よりも半径方向外方に突出して形成され、軸受け１２３の内輪体６１と分針本体４２ａとの間に介在する。緩衝部１２８は、内輪体６１の外径寸法よりも外径寸法が小さく形成され、外輪体１２４と分針本体４２ａとの間に間隙を形成する。この間隙によって外輪体１２４と分針１２５との接触が防止されるので、分針１２５は外輪体１２４と接触せずに回転することができる。接続部材１２６は、たとえば真鍮または樹脂によって形成される。
【０１６４】
前述の第１〜第４の各実施の形態において、パネル体の嵌合部、連結体である軸受けおよび軸受けが固定される指針はそれぞれ、第５の実施の形態における嵌合部であるキャップ部材１２２、軸受け１２３および指針１２５と同様に構成されてもよい。
【０１６５】
図１７は、本発明の第６の実施の形態の時計１３０を示す正面図である。図１８は、図１７に示す時計１３０を切断面線Ｓ１８−Ｓ１８から見て示す断面図である。本実施の形態の時計１３０において、第１の実施の形態の時計３０のパネル体３３、軸受け３４および分針４２を除くその他の構成は同様であり、第５の実施の形態の時計１２０の時針４１および分針１２５を除くその他の構成は同様であるので、同様の構成には同一の参照符号を付し、同様の説明は省略する。
【０１６６】
本実施の形態において、指針である時針４１および分針１２５は、２つの指針ユニット、すなわち時針ユニット１３１および分針ユニット１３２にそれぞれ含まれる。指針ユニット１３１，１３２は、指針４１，１２５と延長部１３３，１３４とを含む。延長部１３３，１３４は、板状であり、その厚み方向に平行な断面形状がＬ字状になるように屈曲して形成される。延長部１３３，１３４は、指針４１，１２５に連なり、指針４１，１２５からＺ方向一方Ｚ１に延びる第１延長部１３３ａ，１３４ａと、第１延長部１３３ａ，１３４ａに連なり、第１延長部１３３ａ，１３４ａから指針４１，１２５の回転中心にむかって、半径方向内方に延びる第２延長部１３３ｂ，１３４ｂとを含む。
【０１６７】
第１延長部１３３ａ，１３４ａは、回転軸線４４からの最小半径方向寸法Ｌ４，Ｌ５がパネル体３３の外周縁部３３ａにおける最大半径方向寸法Ｒｍよりも大きく形成される。これによって第１延長部１３３ａ，１３４ａとパネル体３３との接触が防止され、指針ユニット１３１，１３２の回転がパネル体３３で阻害されることが防止される。時針ユニット１３１の第１延長部である時針第１延長部１３３ａは、Ｚ方向における寸法Ｗ２が、パネル体本体５１のＺ方向一方Ｚ１側の表面部から時針本体４１ａのＺ方向一方Ｚ１側の表面部までの距離Ｗ４よりも大きく形成され、分針ユニット１３１の第１延長部である分針第１延長部１３４ａは、Ｚ方向における寸法Ｗ３が、パネル体本体５１のＺ方向一方Ｚ１側の表面部から分針本体４２ａのＺ方向一方Ｚ１側の表面部までの距離Ｗ５よりも大きく形成される。これによって第２延長部１３３ｂ，１３４ｂがパネル体３３を挟んで指針本体４１，４２と反対側に配置される。
【０１６８】
第２延長部１３３ｂ，１３４ｂは、回転軸線４４からの最小半径方向寸法Ｌ６，Ｌ７が、パネル体３３の外周縁部３３ａにおける最小半径方向寸法Ｒ０よりも小さく形成される。つまり、第２延長部１３３ｂ，１３４ｂの回転中心寄りの端部である遊端部は、パネル体３３の外周縁部３３ａにおける最小半径方向寸法Ｒ０よりも小さい。したがってＺ方向一方Ｚ１側から見て、第２延長部１３３ｂ，１３４ｂの一部分は、パネル体３３よりも半径方向内方側に配置される。時針第１延長部１３３ａは、回転軸線４４からの最小半径方向寸法Ｌ４が、分針第１延長部１３４ａの回転軸線４４からの最小半径方向寸法Ｌ５よりも大きく形成される。時針ユニット１３１の第２延長部である時針第２延長部１３３ｂは、回転軸線４４からの最小半径方向寸法Ｌ６が、分針ユニット１３２の第２延長部である分針第２延長部１３４ｂの回転軸線４４からの最小半径方向寸法Ｌ７よりも大きく形成される。これによってＺ方向一方側から見て、分針第２延長部１３４ｂが時針第２延長部１３３ｂよりも半径方向内方に突出して配置される。
【０１６９】
本実施の形態では、指針ユニット１３１，１３２の第２延長部１３３ｂ，１３４ｂが、パネル３３を挟んで指針４１，４２と反対側に配置され、かつパネル体３３よりも半径方向内方側に配置されるので、Ｚ方向一方Ｚ１側から見たときに、指針ユニット１３１，１３２の第２延長部１３３ｂ，１３４ｂ以外の部分が存在しないように見える。したがって指針ユニット１３１，１３２を支持する出力軸４３および出力軸４３を回転駆動する駆動体３２の存在を使用者にわかりにくくすることができる。
【０１７０】
以上の各実施の形態において、パネル体本体のＺ方向一方Ｚ１側の表面部には、時刻を表す文字、たとえば１から１２までの数字が描かれていてもよい。またパネル体本体には、各時刻の時針の位置に対応する位置、たとえば外周縁部を回転軸線４４まわりに１５°間隔で等分した各位置に、パネル体本体を厚み方向に貫通する透孔または有底孔などの孔が形成されてもよく、エンボス加工などによって凸部または凹部が形成されてもよい。孔または凹凸部が形成されることによって、文字がなくても使用者に時間の経過を知らせることができる。
【０１７１】
またパネル体本体の形状は、以上の各実施の形態で示した形状に限定されず、たとえばＺ方向一方Ｚ１側から見て、真円状であってもよく、楕円状であってもよい。またたとえば図１９に示すパネル体本体１４０のように、回転軸線４４からの半径方向寸法Ｒが周期的に変化する形状であってもよい。図１９は、パネル体本体の他の例であるパネル体本体１４０を示す正面図である。図１９に示すパネル体本体１４０は、複数、具体的には１２個の指時部１４１を有する。指時部１４１は、パネル体本体１４０の回転軸線４４を通る中心から半径方向外方に放射状に延びる棒状に形成され、指針本体１４２ａ，１４３ａの他端部がＹ方向一方Ｙ１側にある位置である基準位置Ｐ１、および基準位置Ｐ１から周方向Ｅに回転軸線４４まわりに１５°間隔で等分された各位置に配置される。
【０１７２】
指時部１４１は、パネル体本体１４０の中心から半径方向外方に延びる棒状の延在部１４１ａと、延在部１４１ａよりも回転軸線４４の周方向Ｅにおける寸法が大きく形成される円板状の幅広部１４１ｂとを含む。指時部１４１は、幅広部１４１ｂにおける回転軸線４４からの最大半径方向寸法が、パネル体本体１４０における回転軸線４４からの最大半径方向寸法になるように形成される。また指針部１４１は、幅広部１４１ｂにおける回転軸線４４からの最大半径方向寸法が、指針１４２，１４３における回転軸線４４からの最大半径方向寸法よりも小さく形成される。
【０１７３】
指時部１４１は、回転軸線４４の周方向Ｅに１５°ずつ等分された各位置に配置されるので、時刻を表す指標、たとえば時刻を表す文字の代わりとして働く。つまりＺ方向一方Ｚ１側から見て、パネル体本体１４０の指時部１４１に指針１４２，１４３が重なり、指針１４２，１４３が隠れることによって、視覚的に時刻がよりわかりやすくなり、使用者により容易に時刻を知らせることができる。指時部１４１が配置される位置は、等間隔に限定されず、各時刻における時針１４２の位置に応じて選ばれる。
【０１７４】
図１９に示す指針１４２，１４３は、第１の実施の形態の指針４１，４２と同様の構成を有し、指針本体１４２ａ，１４３ａも第１の実施の形態の指針本体４１ａ，４２ｂと同様の構成を有するが、指針本体１４２ａ，１４３ａのうち、時針本体１４２ａは、短手方向における寸法が、分針本体１４３ａの短手方向における寸法よりも小さく形成される。このように指針本体の短手方向における寸法は、時針本体および分針本体のいずれが大きくてもよい。
【０１７５】
以上の各実施の形態では、軸受け３４，１２３は、分針４２，１２５を介して分針軸４３ｂに半径方向外方側から固定されるが、分針軸４３ｂの半径方向内方側に嵌合されて、固定されてもよい。このように支持用回転軸である分針軸４３ｂの半径方向内方側に軸受け３４を固定することによって、パネル体と指針との間隔を小さくすることができるので、パネル体と指針との一体感を生じさせることができる。また小形化することができる。また以上の各実施の形態では、連結体は、外輪体と内輪体とを含む軸受けによって実現されるが、これに限定されず、たとえば円筒状に形成され、その半径方向内方側または外方側に、滑り運動によって相対回転可能にパネル体および支持用出力軸を固定可能な部材によって実現されてもよい。
【図面の簡単な説明】
【０１７６】
【図１】本発明の第１の実施の形態の時計３０を示す正面図である。
【図２】本実施の形態の時計３０を示す背面図である。
【図３】本実施の形態の時計３０を示す右側面図である。
【図４】本実施の形態の時計３０を示す上面図である。
【図５】本実施の形態の時計３０の一部を拡大して示す断面図である。
【図６】パネル体３３の寸法と指針４１，４２の寸法との関係を示す図である。
【図７】時針４１のパネル体３３からの突出量Ｑが変化する様子を示す図である。
【図８】色分けされた指針７１，７２の一例を示す正面図である。
【図９】置時計として使用可能な時計の一例である時計８０を示す正面図である。
【図１０】図９に示す時計８０の右側面図である。
【図１１】パネル体８６が写真フレームとして使用される時計の一例である時計８５を示す正面図である。
【図１２】本発明の第２の実施の形態の時計９０を示す正面図である。
【図１３】図１２に示す時計９０に備わるパネル体９１を厚み方向他方側から見た背面図である。
【図１４】本発明の第３の実施の形態の時計１００を示す正面図である。
【図１５】本発明の第４の実施の形態の時計１１０を示す正面図である。
【図１６】本発明の第５の実施の形態の時計１２０の一部を示す断面図である。
【図１７】本発明の第６の実施の形態の時計１３０を示す正面図である。
【図１８】図１７に示す時計１３０を切断面線Ｓ１８−Ｓ１８から見て示す断面図である。
【図１９】パネル体本体の他の例であるパネル体本体１４０を示す正面図である。
【図２０】第２の従来技術の時計１を示す平面図である。
【０１７７】
【図２１】第３の従来技術の時計１０を示す図である。
【図２２】第４の従来技術の時計２０を示す図である。
【符号の説明】
【０１７８】
３０  時計
３１  指示手段
３２  駆動体
３３  パネル体
３４  軸受け
４１  時針
４２  分針
４３  出力軸
４３ａ  時針軸
４３ｂ  分針軸
４３ｃ  秒針軸
４４  回転軸線
【図１】
2008157641.tif 000003
【図２】
2008157641.tif 000004
【図３】
2008157641.tif 000005
【図４】
2008157641.tif 000006
【図５】
2008157641.tif 000007
【図６】
2008157641.tif 000008
【図７】
2008157641.tif 000009
【図８】
2008157641.tif 000010
【図９】
2008157641.tif 000011
【図１０】
2008157641.tif 000012
【図１１】
2008157641.tif 000013
【図１２】
2008157641.tif 000014
【図１３】
2008157641.tif 000015
【図１４】
2008157641.tif 000016
【図１５】
2008157641.tif 000017
【図１６】
2008157641.tif 000018
【図１７】
2008157641.tif 000019
【図１８】
2008157641.tif 000020
【図１９】
2008157641.tif 000021
【図２０】
2008157641.tif 000022
【図２１】
2008157641.tif 000023
【図２２】
2008157641.tif 000024